(57)【要約】【課題】青色の地の色に対して所定のパターンをコントラストがはっきりするように表示することを可能にする表示方法及び表示装置を提供する。【解決手段】表示内容に対応した所定のパターンの表示を行う際に、光源２３からの青色の出射光により励起されて黄色光を発光させる蛍光体を含んで成り所定のパターンに対応して形成された蛍光体層２２を設け、青色の出射光がこの蛍光体層２２を通過した光と蛍光体層２２以外の部分を通過した光とにより表示を行う。また、光源２３と、光透過性の表示部２１とを有し、光源２３は少なくとも青色光を出射する光源２３Ｂを有して成り、表示部２１の光源２３側に、青色光により励起されて黄色光を発光する蛍光体を含んで成る蛍光体層２２が、表示内容に対応した所定のパターンで形成されている表示装置を構成する。【選択図】　図１
2004085822.tif 000002
【特許請求の範囲】
【請求項１】
表示内容に対応した所定のパターンの表示を行う表示方法であって、
光源からの青色の出射光により励起されて黄色光を発光させる蛍光体を含んで成り、かつ上記所定のパターンに対応して形成された蛍光体層を設け、
上記青色の出射光が上記蛍光体層を通過した光と、上記青色の出射光が上記蛍光体層以外の部分を通過した光とにより、上記表示を行う
ことを特徴とする表示方法。
【請求項２】
表示内容に対応した所定のパターンの表示を行う表示方法であって、
第１の光源からの青色の出射光により励起されて黄色光を発光させる蛍光体を含んで成り、かつ上記所定のパターンに対応して形成された蛍光体層を設け、
上記第１の光源からの青色の出射光を透過させるが、第２の光源からの他の色の出射光を吸収する特性を有し、かつ上記所定のパターンに対応して形成された吸収層を、上記蛍光体層よりも上記第１の光源及び上記第２の光源側に配置し、上記第１の光源又は上記第２の光源からの出射光が上記吸収層及び上記蛍光体層を通過した光と、上記出射光が上記吸収層及び上記蛍光体層以外の部分を通過した光とにより、上記表示を行う
ことを特徴とする表示方法。
【請求項３】
上記第２の光源からの出射光が赤色であり、該出射光が吸収層及び蛍光体層を通過した光が緑色となるように吸収層の透過率の波長分布が選定されていることを特徴とする請求項２に記載の表示方法。
【請求項４】
光源と、光透過性の表示部とを有し、
上記光源は、少なくとも青色光を出射する光源を有して成り、
上記表示部の上記光源側に、上記青色光により励起されて黄色光を発光する蛍光体を含んで成る蛍光体層が、表示内容に対応した所定のパターンで形成されている
ことを特徴とする表示装置。
【請求項５】
上記蛍光体層がＹＡＧ（イットリウム・アルミニウム・ガーネット）系蛍光体から成ることを特徴とする請求項４に記載の表示装置。
【請求項６】
上記光源が、上記青色光を出射する第１の光源と、青色以外の色の光を出射する第２の光源とを有し、上記蛍光体層の上記光源側に上記青色光以外の色の光を吸収する吸収層が表示内容に対応した所定のパターンで形成されていることを特徴とする請求項４に記載の表示装置。
【請求項７】
上記吸収層が青色系の塗料から成ることを特徴とする請求項６に記載の表示装置。
【請求項８】
上記光源は、上記第１の光源として青色ＬＥＤを用い、上記第２の光源として他の発光色のＬＥＤを用いていることを特徴とする請求項６に記載の表示装置。
【請求項９】
上記光源は、上記第１の光源及び上記第２の光源として青色及び赤色の２色ＬＥＤを用いていることを特徴とする請求項６に記載の表示装置。
【発明の詳細な説明】
【０００１】
【発明の属する技術分野】
本発明は、表示内容に対応した所定のパターンの表示を行う表示方法及び表示装置に係わる。
【０００２】
【従来の技術】
光を透過する部材（例えば透明パネル）に対して、塗料を所定のパターンで印刷することにより、文字、記号（アイコン等）、並びに絵等を表示することが考えられている。
【０００３】
例えば図７Ａに示すように、透明パネル５１の裏面５１Ｂに塗料層５２を形成し、この裏面５１Ｂ側に光源（バックライト）５３を配置して、表示装置を構成する。そして、塗料層５２は、透明パネル５１の裏面５１Ｂ側の平面図を図７Ｂに示すように、文字や記号や絵に対応した所定のパターンに形成される。
【０００４】
そして、この構成において、光源５３からの出射光を透明パネル５１及びその裏面５１Ｂ上の塗料層５２に照射して、この出射光を透明パネル５１に透過させて、透明パネル５１の表面５１Ａ側に所定のパターンの表示を行うことができる。
【０００５】
また、特定の文字や絵のパターンを表示する表示装置のその他の構成として、例えば特定のパターンの表示部を光透過性として、表示部以外の部分に特定波長域の光は反射するがその他の波長域の光は透過するマスキング処理を施す構成（特開平８−１２９３５０号公報参照）、蛍光顔料によりパターンを形成し、光源から発射された特定波長の光（紫外光）に反応して蛍光顔料を発光させる構成（特開平８−２９２７３０号公報参照）、第１の波長の光を発光する光源からの光を蛍光板に入射させ、蛍光板で入射光（第１の波長）を透過させるとともに、励起による第２の波長の光を発光させ、これら第１の波長の光及び第２の波長の光を文字等のパターンが描かれた板を通して表示する構成（特開平９−１８５３３７号公報参照）が提案されている。
【０００６】
【発明が解決しようとする課題】
しかしながら、図７Ａ及び図７Ｂに示すように、透明パネル５１の光源（バックライト）５３側の面５１Ｂに、単純に塗料層５２を設けた場合には、光源５３からの出射光が通過すると、塗料層５２で光が吸収されてしまうので、灰色、もしくは黒っぽい表示になる。塗料層５２のない部分は、光源５３からの出射光がそのまま透明パネル５１を透過して、表示の地の色となる。
【０００７】
光源５３からの出射光が赤色系等である場合には、黒い表示は、赤色系の地の色に対してコントラストがはっきりして見やすい。
これに対して、光源５３からの出射光が青色光の場合には、黒い表示では、青色の地の色に対してコントラストがはっきりせず、表示内容がわかりにくくなってしまう。
【０００８】
これまでは、青色の地の色に対して、所定のパターンをコントラストがはっきりするように表示する方法は考えられていなかった。
【０００９】
さらに、前述した他の構成においても、この青色の地の色に対して所定のパターンをコントラストがはっきりするように表示することはできない。
これは、これらの構成では、パターン以外の地の部分が不透過性で青色の地の表示ができなかったり、パターンのみを紫外光で励起して発光させるため地の部分は色が表示されなかったり、図７と同様にパターンが透過性の低い構成となっていたりするからである。
【００１０】
上述した問題の解決のために、本発明においては、青色の地の色に対して所定のパターンをコントラストがはっきりするように表示することを可能にする表示方法及び表示装置を提供するものである。
【００１１】
【課題を解決するための手段】
本発明の表示方法は、表示内容に対応した所定のパターンの表示を行う際に、光源からの青色の出射光により励起されて黄色光を発光させる蛍光体を含んで成り、かつ所定のパターンに対応して形成された蛍光体層を設け、青色の出射光がこの蛍光体層を通過した光と、青色の出射光が蛍光体層以外の部分を通過した光とにより、表示を行うものである。
【００１２】
上述の本発明の表示方法によれば、光源からの青色の出射光が蛍光体層を通過した光は、光源からの青色の出射光と、この青色の出射光により蛍光体が励起されて発光した黄色光とを合わせて、白色光になる。そして、青色の出射光が蛍光体層を通過して得られる白色光と、青色の出射光が蛍光体層以外の部分を通過した光即ち青色光とにより表示を行うことから、コントラストがとれ、視認性が良好な表示を行うことが可能になる。このとき、蛍光体層が（表示内容に対応した）所定のパターンに対応して形成されているため、青色の地に所定のパターンが白く表示される。
【００１３】
本発明の表示方法は、表示内容に対応した所定のパターンの表示を行う際に、第１の光源からの青色の出射光により励起されて黄色光を発光させる蛍光体を含んで成り、かつ所定のパターンに対応して形成された蛍光体層を設け、第１の光源からの青色の出射光を透過させるが、第２の光源からの他の色の出射光を吸収する特性を有し、かつ所定のパターンに対応して形成された吸収層を、蛍光体層よりも第１の光源及び第２の光源側に配置し、第１の光源又は第２の光源からの出射光が吸収層及び蛍光体層を通過した光と、出射光が吸収層及び蛍光体層以外の部分を通過した光とにより、表示を行うものである。
【００１４】
上述の本発明の表示方法によれば、第１の光源からの青色の出射光は吸収層で吸収させずそのまま透過させ、蛍光体層で蛍光体を励起して黄色光を発光させるので、吸収層及び蛍光体層を通過した光は、青色光と黄色光が合わさった白色になる。吸収層及び蛍光体層以外の部分を通過した光は青色のままである。そして、青色の出射光が吸収層及び蛍光体層を通過して得られる白色と、青色の出射光が吸収層及び蛍光体層以外の部分を通過した光即ち青色光とにより表示を行うことから、コントラストがとれ、視認性が良好な表示を行うことが可能になる。このとき、吸収層及び蛍光体層が（表示内容に対応した）所定のパターンに対応して形成されているため、青色の地に所定のパターンが白く表示される。
一方、第２の光源からの青色以外の出射光は吸収層で吸収されるため、吸収層及び蛍光体層を通過する光量が少なくなる。また出射光の波長が比較的長い場合には蛍光体が励起されないので蛍光体からの発光もなくなる。そして、第２の光源からの出射光が吸収層及び蛍光体層を通過して得られる暗い光と、青色の出射光が吸収層及び蛍光体層以外の部分を通過した光即ち出射光と同じ色の光とにより表示を行うことから、例えば第２の光源からの出射光が赤色等の黒に対してコントラストがとれる色である場合には、コントラストがとれ、視認性が良好な表示を行うことが可能になる。即ち青色とこの第２の光源の出射光の色と２色に対して視認性が良好な表示を行うことが可能になる。
【００１５】
本発明の表示装置は、光源と、光透過性の表示部とを有し、光源は少なくとも青色光を出射する光源を有して成り、表示部の光源側に、青色光により励起されて黄色光を発光する蛍光体を含んで成る蛍光体層が、表示内容に対応した所定のパターンで形成されているものである。
【００１６】
上記本発明の表示装置において、蛍光体層がＹＡＧ（イットリウム・アルミニウム・ガーネット）系蛍光体から成る構成を可とする。
また、上記本発明の表示装置において、光源が、青色光を出射する第１の光源と、青色以外の色の光を出射する第２の光源とを有し、蛍光体層の光源側に青色光以外の色の光を吸収する吸収層が表示内容に対応した所定のパターンで形成されている構成を可とする。
【００１７】
上述の本発明の表示装置の構成によれば、光源からの青色光により蛍光体層の蛍光体が励起されて黄色光を発光し、この黄色光と光源からの青色光を合わせて白色光を得ることが可能になる。そして、蛍光体層が表示内容に対応した所定のパターンで形成されているため、このパターンが白く表示される。従って、光透過性の表示部のうち蛍光体層が形成されていない地の部分の青色に対して、パターンを視認性よく表示することが可能である。
【００１８】
蛍光体層がＹＡＧ（イットリウム・アルミニウム・ガーネット）系蛍光体から成る構成としたときには、光源から出射した青色光により蛍光体層のＹＡＧが励起されて黄色光を発光する。
また、光源が、青色光を出射する第１の光源と、青色以外の色の光を出射する第２の光源とを有し、蛍光体層の光源側に青色光以外の色の光を吸収する吸収層が表示内容に対応した所定のパターンで形成されている構成としたときには、第２の光源からの青色以外の色の光は吸収層で吸収される。このため、第２の光源を点灯したときの表示は、地の色が第２の光源からの出射光の色になり、パターンが黒っぽい色になる。一方、青色光は吸収層で吸収されないので、第１の光源を点灯したときの表示は、地の色が第１の光源からの出射光の青色になり、パターンが蛍光体層の発光の黄色と合わせて白色になる。
【００１９】
【発明の実施の形態】
本発明は、表示内容に対応した所定のパターンの表示を行う表示方法であって、光源からの青色の出射光により励起されて黄色光を発光させる蛍光体を含んで成り、かつ所定のパターンに対応して形成された蛍光体層を設け、青色の出射光がこの蛍光体層を通過した光と、青色の出射光が蛍光体層以外の部分を通過した光とにより、表示を行う表示方法である。
【００２０】
本発明は、表示内容に対応した所定のパターンの表示を行う表示方法であって、第１の光源からの青色の出射光により励起されて黄色光を発光させる蛍光体を含んで成り、かつ所定のパターンに対応して形成された蛍光体層を設け、第１の光源からの青色の出射光を透過させるが、第２の光源からの他の色の出射光を吸収する特性を有し、かつ所定のパターンに対応して形成された吸収層を、蛍光体層よりも第１の光源及び第２の光源側に配置し、第１の光源又は第２の光源からの出射光が吸収層及び蛍光体層を通過した光と、出射光が吸収層及び蛍光体層以外の部分を通過した光とにより、表示を行う表示方法である。
【００２１】
また本発明は、上記表示方法において、第２の光源からの出射光が赤色であり、この出射光が吸収層及び蛍光体層を通過した光が緑色となるように吸収層の透過率の波長分布を選定する。
【００２２】
本発明は、光源と、光透過性の表示部とを有し、光源は少なくとも青色光を出射する光源を有して成り、表示部の光源側に、青色光により励起されて黄色光を発光する蛍光体を含んで成る蛍光体層が、表示内容に対応した所定のパターンで形成されている表示装置である。
【００２３】
また本発明は、上記表示装置において、蛍光体層がＹＡＧ（イットリウム・アルミニウム・ガーネット）系蛍光体から成る構成とする。
【００２４】
また本発明は、上記表示装置において、光源が、青色光を出射する第１の光源と、青色以外の色の光を出射する第２の光源とを有し、蛍光体層の光源側に青色光以外の色の光を吸収する吸収層が表示内容に対応した所定のパターンで形成されている構成とする。
【００２５】
また本発明は、上記表示装置において、さらに吸収層が青色系の塗料から成る構成とする。
【００２６】
また本発明は、上記表示装置において、さらに光源は第１の光源として青色ＬＥＤを用い、第２の光源として他の発光色のＬＥＤを用いている構成とする。
【００２７】
また本発明は、上記表示装置において、さらに光源は第１の光源及び第２の光源として青色及び赤色の２色ＬＥＤを用いている構成とする。
【００２８】
本発明の一実施の形態として、表示装置の概略構成図を図１Ａに示す。
図１Ａに示すように、表示部となりアクリル樹脂等から成る透明パネル２１の裏面２１Ｂに、蛍光材を含んで成る蛍光体層２２が設けられ、この透明パネル２１の裏面２１Ｂ側に、光源２３からの光が集光板２４で集められて照射させるように構成されている。
【００２９】
光源２３は、例えば第１の光源として青色ＬＥＤ２３Ｂと第２の光源として赤色ＬＥＤ２３Ｒとを備えて成る。
【００３０】
蛍光体層２２は、第１の光源の青色ＬＥＤ２３Ｂから出射した光により、励起されて発光する蛍光材料（蛍光体）、例えばＹＡＧ（イットリウム・アルミニウム・ガーネット）系蛍光体を含んで成る。
そして、透明パネル２１の裏面２１Ｂ側から見た図を図１Ｂに示すように、蛍光体層２２は、表示内容に対応した任意の文字や記号（アイコンや意匠等）のパターン（図１ＢではアルファベットのＡ）となるように形成されている。このようなパターンは、例えば印刷により形成することが可能である。
【００３１】
本実施の形態では、表示装置をこのような構成としていることにより、次のように所定のパターンの表示を行うことができる。
第１の光源の青色ＬＥＤ２３Ｂを点灯すると、この青色ＬＥＤ２３Ｂからの出射光（青色光）により蛍光体層２２の蛍光材料のＹＡＧが励起されて、黄色光を発光する。
そして、この蛍光材料から発光した黄色光と、蛍光体層２２を透過した青色ＬＥＤ２３Ｂからの青色光とにより、合わせて白色光が得られ、透明パネル２１を透過してその表面２１Ａ側に出射される。
一方、蛍光体層２２のない部分では、青色ＬＥＤ２３Ｂからの青色光がそのまま透明パネル２１を透過してその表面２１Ａ側に出射される。
【００３２】
これにより、図２に示すように、透明パネル２１の表面２１Ａ側において、青色の地１に対して白色で所定のパターン２が形成された表示が観察される。
青色の地１と、白色のパターン２とにおいて、明度と彩度の差から、コントラストをとれるので、パターン２の視認性が良好である。
【００３３】
図２は、パターン２として文字（アルファベットのＡ）を使用した場合であるが、その他のパターンの形態として、記号（アイコン）を使用した場合を図３に示す。
図３に示すパターン３は、例えばメールに関する表示を示すアイコンを表示するものである。
【００３４】
上述の本実施の形態の表示装置によれば、透明パネル２１の光源２３側に、第１の光源（青色ＬＥＤ）２３Ｂからの青色の出射光により励起されて黄色光を発光するＹＡＧを含んで成り所定のパターンに対応して形成された蛍光体層２２が設けられていることにより、蛍光体層２２を透過した青色の出射光（青色光）は、青色光とＹＡＧから発光した黄色光とが合わさって、白色光となって、透明パネル２１の表面２１Ａ側に透過する。一方、所定のパターン以外の地の部分は、蛍光体層２２がなく、青色の出射光がそのまま透明パネル２１をその表面２１Ａ側に透過する。
これにより、透明パネル２１の表面２１Ａにおいて、青地に白色のパターンという、コントラストがあり見やすく（視認性が高く）所定のパターンの表示を行うことができる。
【００３５】
尚、上述のように第２の光源２３Ｒが赤色ＬＥＤである場合には、第２の光源２３Ｒからの出射光が、蛍光体層２２のＹＡＧにより吸収され、パターンがくすんだ灰色で表示され、地の赤色に対して識別しにくくなってしまう。
この点を改善した実施の形態を次に示す。
【００３６】
本発明の他の実施の形態として、表示装置の概略構成図を図４Ａに示す。
図４Ａに示すように、先の実施の形態の表示装置と同様に、表示部となりアクリル樹脂等から成る透明パネル３１の裏面３１Ｂに、蛍光材を含んで成る蛍光体層３２が設けられ、この透明パネル３１の裏面３１Ｂ側に、光源３４からの光が集光板３５で集められて照射させるように構成されている。
【００３７】
光源３４は、例えば第１の光源として青色ＬＥＤ３４Ｂと第２の光源として赤色ＬＥＤ３４Ｒとを備えて成る。
【００３８】
蛍光体層３２は、第１の光源の青色ＬＥＤ３４Ｂから出射した光により、励起されて発光する蛍光材料（蛍光体）、例えばＹＡＧを含んで成る。この蛍光体層３２は、表示内容に対応した任意の文字や記号（アイコンや意匠等）のパターンとなるように形成されている。
【００３９】
本実施の形態の表示装置においては、特に蛍光体層３２の上、即ち光源３４側に、青色系の塗料が塗布されて、青色系塗料層３３が形成されている。
この青色系塗料層３３では、青色の光はそのまま通過するが、その他の色の光は吸収されて光量が少なくなる。
【００４０】
そして、透明パネル３１の裏面３１Ｂ側から見た図を図４Ｂに示すように、青色系塗料層３３は、蛍光体層３２と同じく表示内容に対応した任意の文字や記号（アイコンや意匠等）のパターンとなるように形成されている。
【００４１】
本実施の形態では、表示装置をこのような構成としていることにより、次のように所定のパターンの表示を行うことができる。
【００４２】
第１の光源３４Ｂの青色ＬＥＤが点灯したときには、第１の光源３４Ｂから出射した青色光は、青色系塗料層３３には吸収されずにそのまま通過し、蛍光体層３２においてＹＡＧを励起することにより、発光した黄色光と合わせて、白色光となる。青色系塗料層３３及び蛍光体層３２以外の部分、即ち所定のパターン以外の地の部分を通過した光は、そのまま青色となる。
これにより、青地の光に白いパターンが表示される。
【００４３】
また、第２の光源３４Ｒの赤色ＬＥＤが点灯したときには、第２の光源３４Ｒから出射した赤色光は、青色系塗料層３３により吸収され、また蛍光体層３２のＹＡＧを励起することなく、ＹＡＧによっても吸収されるため、透明パネル３１に達する光量が大幅に少なくなって、黒くなる。青色系塗料層３３及び蛍光体層３２以外の部分、即ち所定のパターン以外の地の部分を通過した光は、そのまま赤色となる。
これにより、赤地の光に黒いパターンが表示される。
【００４４】
即ち同じ透明パネル３１で、共に見栄えのする、青地に白のパターンの表示と、赤地に黒のパターンの表示との両方を行える。
【００４５】
尚、蛍光体層３２のＹＡＧの色が元々黄色であるため、青色系塗料の青色と重ね合わせて緑色のように見える。
従って、ＹＡＧを含む蛍光体層と、青色系塗料層の色調及び膜厚を調節することにより、第２の光源の赤色ＬＥＤ３４Ｒを点灯したときに、パターンの部分を通過する光量を増やし、パターンの部分を緑色に表示して、地の部分を透過した赤色光に対する補色とすることも可能になる。
これにより、第２の光源の赤色ＬＥＤ３４Ｒからの赤色光に対して、さらに良好な視認性を得ることが可能になる。
【００４６】
また、蛍光体層のＹＡＧを励起するためには、必ず波長の短い青色を出射する光源（第１の光源）が必要になるが、２色の光源を用いる場合には第２の光源の出射光は赤以外でもよく、例えばオレンジやアンバー（琥珀色）等の色も使用できる。
これら赤以外の光を出射する光源を使用した場合も、青色光を阻害しない程度に、青色系塗料の色調や膜厚を調整して色合いを調節し、光源の出射光の色に対して補色の関係になるようにすることによって、陰影を引き立たせることが可能である。
【００４７】
さらに、本実施の形態において、第１の光源の青色ＬＥＤ３４Ｂと第２の光源の赤色ＬＥＤ３４Ｒとを同時に発光させて、紫色に発光させても良い。
このとき、透明パネル３１の表面３１Ａでは、紫色の地に、白っぽい色のパターンの表示が観察される。紫色と白っぽい色において、明度と彩度に差があることにより、パターンが充分な視認性を有する。
【００４８】
上述の本実施の形態の表示装置によれば、透明パネル３１の光源３４側に、第１の光源（青色ＬＥＤ）３４Ｂからの青色の出射光により励起されて黄色光を発光するＹＡＧを含んで成り所定のパターンに対応して形成された蛍光体層３２が設けられ、さらに蛍光体層３２の光源３４側に青色以外の光を吸収する青色系塗料層３３が設けられていることにより、蛍光体層３２及び青色系塗料層３３を透過した青色の出射光（青色光）は、青色系塗料層３３をそのまま透過して蛍光体層３２に達して、青色光と蛍光体層３２のＹＡＧから発光した黄色光とが合わさって、白色光となって、透明パネル３１の表面３１Ａ側に透過する。一方、所定のパターン以外の地の部分は、蛍光体層３２及び青色系塗料層３３がなく、青色の出射光がそのまま透明パネル３１をその表面３１Ａ側に透過する。
これにより、透明パネル３１の表面３１Ａにおいて、青地に白色のパターンという、コントラストがあり見やすく（視認性が高く）所定のパターンの表示を行うことができる。
【００４９】
一方、第２の光源（赤色ＬＥＤ）３４Ｒからの赤色の出射光は、青色系塗料層３３で吸収され、さらに蛍光体層３２のＹＡＧで吸収されるため、蛍光体層３２及び青色系塗料層３３のある所定のパターンの部分は、透明パネル３１の表面３１Ａ側では暗く（例えば黒っぽく）表示される。一方、所定のパターン以外の地の部分は、蛍光体層３２及び青色系塗料層３３がなく、赤色の出射光がそのまま透明パネル３１をその表面３１Ａに透過する。
これにより、透明パネル３１の表面３１Ａにおいて、赤地に暗い色のパターンという、コントラストがあり見やすく（視認性が高く）所定のパターンの表示を行うことができる。
従って、本実施の形態によれば、同じ透明パネル３１において、青色の光源３４Ｂと、赤色の光源３４Ｒとに対して、共にコントラストがあり見やすい（視認性が高い）所定のパターンの表示を行うことができる。
【００５０】
本実施の形態では、吸収層として、青色系の塗料を塗布した青色系塗料層を設けた構成であったが、青色以外の光を吸収する構成であれば、その他の構成でもよい。例えば表示するパターンに対応した形状にした樹脂やフィルム等を配置して吸収層を構成することが考えられる。
【００５１】
さらに、上述の各実施の形態では、透明パネル２１，３１の裏面２１Ａ，３１Ａに直接蛍光体層２２，３２が形成されている構成であったが、本発明においては、透明パネル等の光透過性の表示部に対して、蛍光体層が光源側に配置されている限りは、その他の構成としてもよい。
【００５２】
例えば図５に示すように、透明パネル３１の裏面３１Ａに反射防止膜４１が形成され、この反射防止膜４１を介して蛍光体層３２が形成されている構成としてもよい。反射防止膜４１は、光源（青色ＬＥＤ及び赤色ＬＥＤ）からの光は透過するが、透明パネル３１の表面３１Ａ側からの外光を反射するような構成とし、例えば白色塗料などを用いることができる。これにより、表示の必要がないときにパターンが透けて見えないようにすることができる。
また、この図５の構成では、透明パネルの裏面３１Ｂ側において、表示をさせない部分に、光源からの光を遮断する遮光膜４２が形成されている。
【００５３】
また、透明パネル（表示部）、蛍光体層、青色系塗料層（吸収層）、並びに光源が、この順序に形成されていれば、これら各層が互いに接触していなくてもよい。
即ちこれら各層の間に、上述の反射防止膜４１のように光源からの光を透過すると共に他の機能を有する膜を設けてもよく、また空間を設けてもよい。
【００５４】
本発明は、文字や記号、並びに絵等を表示する、様々な構成の装置に広く適用することが可能である。
【００５５】
例えば衛星放送用のチューナーやビデオデッキ等、何らかの情報を本体に表示する必要がある製品において、表示ユニットの１つとして使用することが可能である。
例えばＣＳ衛星放送用チューナーであれば、データ放送受信中、メール受信中、電話回線使用中、番組予約中等の表示について、所定のパターンのアイコン表示をすることが考えられ、このアイコン表示に本発明を適用することができる。
【００５６】
このような製品においては、何らかの本体機能が働くとき、該当するアイコンに対して、青色の光源（青色ＬＥＤ）を点灯すると、蛍光体層のＹＡＧにおいて黄色光が励起され、青色光と合わさって白色光となるため、青地の光に白いアイコンが表示される。即ち、青い光の中にアイコンを白く陰影をつけて浮かび上がらせるように光らせることができる。
【００５７】
本発明をこのような製品に適用した場合の、装置の一形態を図６に示す。図６に示すように、装置１０の前面１１に、光透過性で円形の表示部１２が複数設けられている。この円形の表示部１２に沿って、光源からの地の色が表示されると共に、所定のパターン（図示せず）が地の色　（青色と例えば赤色）に対して浮かび上がるように表示される。
【００５８】
本発明においては、可視光領域の単色光を出射させることが可能な光源であれば、ＬＥＤ以外の光源を使用することも可能である。例えば固体レーザやガスレーザを周波数変換（波長変換）して可視光線を出射させるように構成したレーザ等も使用可能である。
【００５９】
また、光源にＬＥＤを使用する場合には、ランプ型のＬＥＤ以外にも、チップ型のＬＥＤも使用することが可能である。
【００６０】
さらに、光源は、上述の実施の形態のように２色の光源が一体化された構成に限定されず、第１の光源（例えば青色）と第２の光源（例えば赤色）とが別々に配置された構成としてもよい。
上述の実施の形態のように、２色ＬＥＤを光源に使用した場合には、他の構成の光源を用いる場合と比較して、設計が容易になると共に、装置の小型化を図ることができるという利点を有する。
【００６１】
また、本発明において、光透過性の表示部の構成としては、上述の各実施の形態の透明パネル２１，３１に限らず、例えばガラスやスクリーン等も考えられる。
【００６２】
ところで、本発明をさらに応用することにより、様々な色の光源について、地の色に対してパターンが良好な視認性を有する表示となるようにすることも考えられる。
光源が緑色、紫色等、比較的黒色との視認性が低い色の場合には、光源からの出射光で励起される蛍光材料を含む蛍光体層を構成することにより、光源からの出射光と励起による発光との組み合わせ、或いは励起による発光のみで、地の色となる光源からの出射光との視認性を高くすることが理論上は可能であると考えられる。
そして、条件を満たす蛍光材料が実際に存在すれば、このような色の光源に対しても視認性の高い表示を行うことができる。
尚、黄色やオレンジ色等、比較的明るい色の場合は、従来のように塗料層でパターンを形成することによっても視認性が得られるが、上述の図４に示した実施の形態と同様の、蛍光体層と吸収層との組み合わせでも視認性が得られる。
【００６３】
本発明は、上述の実施の形態に限定されるものではなく、本発明の要旨を逸脱しない範囲でその他様々な構成が取り得る。
【００６４】
【発明の効果】
上述の本発明によれば、青色の地に対して、文字、記号や絵等の所定のパターンを白く表示して、コントラストがとれ、見やすく表示することが可能になる。
【００６５】
また、さらに青色以外の光を吸収する吸収層を設けたときには、青色以外の色（例えば赤色等）の地に対して、所定のパターンを黒く表示することが可能になる。これにより、同じ表示部において、青色と、その他の色の複数の色に対して見やすい表示を行うことが可能になる。
【図面の簡単な説明】
【図１】Ａ　本発明の一実施の形態の表示装置の概略構成図である。
Ｂ　図１Ａの透明パネルの裏面側から見た平面図である。
【図２】図１Ａの透明パネルの表面側における表示の状態を示す図である。
【図３】パターンの他の形態を示す図である。
【図４】Ａ　本発明の他の実施の形態の表示装置の概略構成図である。
Ｂ　図４Ａの透明パネルの裏面側から見た平面図である。
【図５】図４Ａの透明パネルにさらに反射防止膜等を形成した形態を示す図である。
【図６】本発明を適用する装置の一形態を示す図である。
【図７】Ａ　表示装置の概略構成図である。
Ｂ　図７Ａの透明パネルの裏面側から見た平面図である。
【符号の説明】
２，３　パターン、２１，３１　透明パネル、２２，３２　蛍光体層、２３，３４　光源、３３　青色系塗料層（吸収層）、４１　反射防止膜、４２　遮光膜
【図１】
2004085822.tif 000003
【図２】
2004085822.tif 000004
【図３】
2004085822.tif 000005
【図４】
2004085822.tif 000006
【図５】
2004085822.tif 000007
【図６】
2004085822.tif 000008
【図７】
2004085822.tif 000009